(57)【要約】【課題】壁面２の外観をほぼ維持することができ、止着作業性に優れた壁面固定部５の止着構造および吊り下げ具１１の提供を目的とする。【解決手段】上下にステープル脚打込部１が形成され、縦向きにされて壁面２に打ち込まれるステープル３によって壁面２との間に挟持されるステープル保持部４を有して壁面固定部の止着構造を構成する。  また、金属の薄板材を折曲して先端部にフック部７を形成するとともに、後端部には後端縁からステープル脚６のピッチを隔ててステープル脚打込開口８が開設された壁面固定部５を形成して吊り下げ具を構成する。【選択図】  図１
2006181243.tif 000002
【特許請求の範囲】
【請求項１】
上下にステープル脚打込部が形成され、縦向きにされて壁面に打ち込まれるステープルによって壁面との間に挟持されるステープル保持部を有する壁面固定部の止着構造。
【請求項２】
前記ステープル保持部は壁面固定部の上端縁部に形成され、
前記ステープル脚打込部は、ステープル脚の一方に対応して該ステープル脚のピッチを隔てて壁面固定部の上端縁に沿ってスリット状に形成される請求項１記載の壁面固定部の止着構造。
【請求項３】
金属の薄板材を折曲して先端部にフック部を形成するとともに、後端部には後端縁からステープル脚のピッチを隔ててステープル脚打込開口が開設された壁面固定部を形成してなる吊り下げ具。
【発明の詳細な説明】
【技術分野】
【０００１】
本発明は壁面固定部の止着構造および吊り下げ具に関するものである。
【背景技術】
【０００２】
従来、壁面固定部の止着構造としては、特許文献１に記載されたものが知られている。この従来例において、吊り下げ用フックの固定板には壁面に対して斜め下方を向く釘孔が形成され、釘孔に釘を打ち込むことにより、壁材としての石膏ボードに対して釘が斜め下方に打ち込まれ、吊り下げ用フックに物品を掛けても抜けにくくなる。
【特許文献１】特開平８-７０９８４号公報
【発明の開示】
【発明が解決しようとする課題】
【０００３】
近年、画鋲によって開けられた穴で壁の外観が損ねられているとして、アパート等の賃借人の転居時等において、壁紙の張り替えなどの壁に対する大がかりな補修が行われるケースが多くなっている。一般的な画鋲の針は直径およそ１ｍｍ程度であり、刺すことで壁面に形成される穴は通常の視力があってやや注意をすれば肉眼で容易に見付けることができることから、新規賃貸借の成約を得やすくするためにも補修が必要であるという家主側の事情があり、一方、賃借人側においても快適な生活を過ごすために比較的軽量なものであれば壁面に掛けたいという要求がある。
【０００４】
この点、上述した従来例におけるように釘によって壁面に物を取り付ける場合には、画鋲の針よりも太さが格段細い釘を使用すれば、壁面に打ち付けた場合にも補修を惹起するような大きさの穴を開けてしまうことはない。しかしながら、釘の場合にはハンマー等の工具を用いなければ打ち込むことができないために止着作業が面倒な上に、作業に際してはハンマー等を振り上げなければならないことから狭い空間における止着が困難になるという欠点がある。
【０００５】
また、上述したように細い釘を用いて壁面に物を止着する場合、その細さに応じて耐荷重能力も低くなってしまうため、画鋲に比べて打ち込み本数を多くしなければ同程度の重さのものを支持できなくなくなってしまう。したがって、止着作業に手間がかかるという欠点がある。なお、上記従来例のように釘の壁面に対する打ち込み方向を水平ではなく斜め下方に設定したとしても、実質的には釘の形状が維持されることを前提として水平荷重に対する引き抜き耐力を高めることができる程度に過ぎず、釘の変形をもたらすような応力に関してはあまり効果を期待することができない。
【０００６】
本発明は、以上の欠点を解消すべくなされたものであって、壁面の外観をほぼ維持することができ、止着作業性に優れた壁面固定部の止着構造および吊り下げ具の提供を目的とする。
【課題を解決するための手段】
【０００７】
本発明によれば上記目的は、
上下にステープル脚打込部１が形成され、縦向きにされて壁面２に打ち込まれるステープル３によって壁面２との間に挟持されるステープル保持部４を有する壁面固定部の止着構造を提供することにより達成される。
【０００８】
本発明において、ステープル３とは、ＪＩＳ（日本工業規格）においてステープラ用つづり針の１０号として規定されるものを意味する。具体的には、横幅すなわちステープル肩の幅が９．４８ｍｍ程度、高さすなわちステープル脚の長さが４．８ｍｍ程度であり、また、ステープル肩等の奥行き寸法が０．５ｍｍ程度、厚さが０．３ｍｍ程度のものを指す。
【０００９】
本発明によれば、壁面固定部は上下にステープル脚打込部１が形成されたステープル保持部４を有し、ステープル保持部４を跨架するように縦向きに打ち込まれるステープル３によって壁面２に止着される。ステープル３は、上述したように断面積が一般の画鋲に比べて非常に小さいため、その打ち込みによって目視で簡単に気付くような大きさの穴が壁面２に開けられることはなく、したがって引き抜いてもステープル３の打ち込み跡がほぼ視認できないことから壁面２の外観を良好な状態に維持することができる。
【００１０】
また、ステープル３やこれを打ち込むためのステープラは文具として極めて広く普及していて操作もステープラのハンドルをほぼステープル３の高さ相当量だけ押圧するだけと極めて簡単であるために、止着作業に手間取ることはない。さらに、ハンドルを押圧操作する度にステープル３毎に適宜離れた位置に２本のステープル脚が打ち込まれることから、同じ太さの釘等を適宜分散して同数打ち込む場合に比して作業が非常に楽になる。
【００１１】
加えて、ステープル３を縦向きに打ち込むことにより、より少ない打ち込み本数で耐荷重能力を高めることが可能になる。すなわち、横向きに打ち込まれたステープル３や釘などによって壁面固定部、すなわち止着対象物の荷重を支える場合、荷重（力Ｐ）によってステープル３等に作用するモーメントは、図５（ａ）に示すように、いわゆる片持ち梁ＡＢに作用するモーメントのように表現することが可能であり、したがってステープル３等にはステープル脚等の壁面２との連結基端を回転端とするモーメントのみが作用する。これに対し、縦向きに打ち込まれたステープル３においては、図５（ｂ）に示すように、いわゆる３次不静定ラーメンＡＢＣＤのモーメントと同視できることから、ステープル脚とステープル肩の連結端を回転端とするモーメントが分配され、より大きい荷重に対して変形することなく耐えることができる。
【００１２】
上記壁面固定部に形成されるステープル保持部４は、ステープル３と壁面２とに挟持され、また、下方に配置される一方のステープル脚６に支持された状態で例えば日用品等からなる止着対象物を支持することができるように適度の幅寸法や強度を備え、また、ステープル脚を壁面２に対してよりしっかりと打ち込むことができるように比較的厚さが薄いものが望ましく、例えば金属の薄板材で形成することが可能である。また、ステープル脚打込部１は、ステープル保持部４を跨ぐようにしてステープル３を縦向きに打ち込むことができるようにステープル保持部４の上下に隣接してステープル脚のピッチに対応するように形成されていればよく、また、ステープル３の打ち込みによってステープル脚が進入できればよいため、例えば上述した薄板材においては開口として形成することも可能である。
【００１３】
さらに、ステープル３は壁に掛けるものの重量に応じて打ち込み本数を調整して耐荷重能力を高めればよいため、上記ステープル脚打込部１は、状況に応じて打ち込み本数を増やせるように予め複数本のステープル３、３・・・を打ち込み可能に形成することが望ましい。この場合において、上述したようにステープル４が縦方向に打ち込まれることにより、ステープル脚打込部１をスリット状に形成することが可能となり、これによって、ステープル脚打込部１の製造を容易にできるとともに、打ち込み本数に応じて複数のステープル３、３・・・を均等に分散して打ち込むことができるため、より安定して支持することができる。また、ステープル脚打込部１は、上述したように薄板材に開設される空隙としての開口、すなわちステープル脚打込開口８として構成できるため、ステープル保持部４を壁面固定部の上端縁部に配置した場合には、壁面固定部の上方の空間をステープル脚打込部１として利用することができ、より製造が簡単になる。加えて、ステープル３の打ち込み位置を位置合わせするガイドを設けることは止着作業性を高めるために有効であり、この場合ガイドとしては、例えばステープル３の打ち込み位置をとるステープラの側面に当接するように、壁面固定部にステープル脚打込部１に沿って突部を設けることにより構成することが可能である。
【発明の効果】
【００１４】
以上の説明から明らかなように、本発明によれば、壁面の外観を維持することができ、止着作業性に優れた壁面固定部の止着構造および吊り下げ具を提供することができるために、近年多発している転居に際しての敷金の返還に関する紛争の発生を未然に防止することができる。
【発明を実施するための最良の形態】
【００１５】
図１および図２に本発明に係る吊り下げ具１１を住宅の室内における壁面２に取り付けた状態を示す。この実施の形態において壁材は石膏ボードであり、その表面には図示しない壁紙が貼り付けられる。吊り下げ具１１は、厚さ０．４〜０．５ｍｍ程度の弾性に富むステンレス材を薄板に折り曲げ、剪断加工等を施して一体に形成され、側面視Ｊ字形状の吊下部１２の上方、すなわち吊下部１２の基端部にステープル３によって壁面２に固定される壁面固定部５を備えて形成される。
【００１６】
吊下部１２は、市販の壁掛け時計などに形成されるいわゆるフックの取付部分に適宜係止可能な程度の幅寸法を備える側面視Ｊ字形状のフック部７と、このフック部７の基端から上方に向かって延設されるアーム部１４とを有する。アーム部１４は、フック部７よりもやや幅狭に形成されて弾性変形しやすくされ、後述するように壁面固定部５によって壁面２に沿ってやや離れた位置に配置されるフック部７が壁掛け時計などを支持した際などに適宜変形し、フック部７を壁面２に近接させてモーメントの発生量を低減したり、あるいは壁面２と上記取付部分との間隔に壁面固定部５とフック部７との間隔を合致させる。
【００１７】
壁面固定部５は、帯形状のステープル保持部４と、このステープル保持部４から延設される一対の脚片１５、１５と、この脚片１５、１５を介してステープル保持部４との間に適宜間隔を隔てて連結されるとともに上記アーム部１４に連結される連結部１６と、上記ステープル保持部４、脚片１５、１５、および連結部１６に包囲されて形成される空隙からなるステープル脚打込開口８とを有する。ステープル保持部４は、長手方向を横方向に向け、背面を壁面２に当接させるようにして壁面２に取り付けられ、上下の幅はステープル３におけるステープル脚６、６のピッチとほぼ同じであり、左右の長さは例えば上下に跨架するようにして壁面２に打ち込まれるステープル３がそれぞれ適宜間隔を隔てて５本ぐらい楽に並べられる程度に形成される。
【００１８】
脚片１５は、ステープル保持部４の両端部を基端にして下方、すなわちステープル保持部４の長手方向に対して直交方向に延設され、背面を壁面２に当接させるようにして壁面２に取り付けられる。この脚片１５の長さは、ステープル脚６の厚さ寸法よりもやや大きく、また、後述するようにステープラの端面を連結部１６の短辺部１６ａに沿わせるようにしたときに打ち込まれるステープル３の一方のステープル脚６がステープル脚打込開口８に面するように調整される。
【００１９】
連結部１６は、ステープル保持部４とほぼ同し長さを備えて断面逆Ｌ字形状に形成され、取り付け状態において短辺部１６ａの先端が壁面２に当接し、長辺部１６ｂは短辺部１６ａの長さ相当間隔を隔てて壁面２に沿って配置される。したがって上記脚片１５は上端縁、すなわち短辺部１６ａの先端部に、吊下部１２は下端縁、すなわち長辺部１６ｂの先端部に連結され、上述したようにフック部７、すなわち吊下部１２が壁面２から離れた位置に垂下される。また、ステープル脚打込開口８は、上縁がステープル保持部４の下縁により、側縁が一対の脚片１５、１５の内側縁により、下縁が連結部１６の上面により包囲された正面視矩形の開口部であり、下方には連結部１６の短辺部１６ａが壁面２から棚のようにして突設される。
【００２０】
したがって以上の吊り下げ具１１は、吊下部１２を摘むようにしてステープル保持部４や脚片１５の裏面を壁面２に合わることにより丁度吊下部１２が摘みやすいように壁面２から離間し、この状態で正面からステープル３を壁面２に対してステープル保持部４を跨ぐようにして打ち込むことにより壁面２に固定される。この吊り下げ具１１の固定は、先ず、ステープル３を壁面２に打ち込むために予めステープラのハンドルとクリンチャアームを広げる、すなわちステープル３を装填する際のようにステープラをほぼ１８０度などに開き、次いで、上述したように壁面固定部５の裏面を壁面２に合わせた状態で正面から連結部１６の短辺部１６ａにステープラの側面、より正確にはステープル３が装填されるドライバの側面を当てるとともに、このドライバの表面、すなわちステープル３のステープラからの突出部分をステープル保持部４に当てるようにして位置合わせし、この後、ドライバ上面のハンドルを押圧してステープル３を壁面２に打ち込むことにより行うことができる。なお、図１に示すように３本のステープル３、３、３によって吊り下げ具１１を壁面２に取り付けるこの実施の形態においては、ステープル保持部４に沿ってステープラをスライド移動させ、各ステープル３が均等間隔で並ぶように適宜位置合わせされてステープル３が打ち込まれる。
【００２１】
この押圧によりステープル保持部４を跨架するようにして壁面２に垂直に打ち込まれるステープル３は、上述したようにステープル保持部４の厚さが１ｍｍであるために、図２（ａ）に示すように、ステープル脚６が壁面２内部まで深く突き刺さり、壁面２との間で挟持するようにしてステープル保持部４を下方のステープル脚６により支えることによって吊り下げ具１１を壁面２に固定する。ステープル脚６、６は、図２（ｂ）に示すように、上記下方のものがステープル脚打込開口８に挿通され、他方のものがステープル保持部４の上方を通って壁面２に差し込まれる。
【００２２】
また、図２（ａ）に示すようにフック部７に適宜重量Ｗの荷物が掛けられる使用時においては、その鉛直荷重成分が複数のステープル脚６、６・・・を介して壁面２に支持され、その回転荷重成分が縦向き姿勢をとる門形状のステープル３を介して壁面２に伝達されてステープル脚６、６・・・と壁面２との間の摩擦抵抗により支えられる。したがって鉛直荷重はステープル脚６の数に応じて分散されるために、個々のステープル脚６やこれを支持する壁面２、すなわち比較的脆弱な石膏ボードのステープル脚６近傍における局部であっても容易に変形してしまうことはない。また、回転荷重については、一対の細いステープル脚６、６を介することで画鋲等に比して壁面２との接触面積が大きく拡大することから、摩擦抵抗力が増大してステープル３が壁面２から容易に抜けることがない上に、両端が壁面２への固定端となっている門形の剛構造が構成されることによりステープル３が容易に変形してしまうこともない。
【００２３】
さらに、吊り下げ具１１を取り外す際には、壁面２から離間するフック部７や連結部１６の長辺部１６ｂなどを摘み、そのまま壁面２に対して垂直方向に引き抜いたり、あるいは吊り下げ具１１等を回転させてテコの原理を利用するなどして引き抜いたりすればよく、これにより、壁面２に打ち込まれたステープル３はステープル保持部４にステープル肩１８を引っ張られ、吊り下げ具１１とともにステープル３を壁面２から簡単に取り外すことができる。この後、壁面２には個々のステープル脚６により穿孔された穴が残ることになるが、ステープル脚６の断面積が小さいために目視ではほとんど確認することができず、したがって吊り下げ具１１取り付け前後における壁面２の外観が維持される。
【００２４】
図３に本発明の変形例を示す。なお、この変形例において上述した実施の形態と同一の構成要素は図中に同一の符号を付して説明を省略する。この変形例において、壁面固定部５の下方には、上述した実施の形態におけるフック部７に代えてボード部２０が形成される。
【００２５】
ボード部２０は、壁面固定部５と一体をなすステンレスの薄板材により平面視ほぼ矩形の平板形状に形成される基部２０ａと、この基部２０ａの表面に固定される固定ベース部２０ｂとを備え、固定ベース部２０ｂ上に適宜貼り付け等されることにより止着対象物が壁面２に固定される。上記基部２０ａは、上下端縁に折り曲げ加工が施され、折り曲げ先端が壁面２に当接することにより固定ベース部２０ｂ全体を壁面２に沿ってしっかりと支持する。また、固定ベース部２０ｂは、止着対象物を貼り付けにより固定できるように、例えば一方の面が基部２０ａ表面に貼り付けられた両面テープやコルクボードとして構成される。
【００２６】
したがってこの変形例においては、紙等からなるカレンダー等の上部中央部を両面テープ２０ｂの一方の面に貼り付けることにより壁面２にカレンダー等を取り付けることができ、あるいは図示しない画鋲によってコルクボード２０ｂを介してメモ書き等を壁面２に取り付けることができる。なお、吊り下げ具１１を磁性処理を施したステンレスにより形成すれば、上記固定ベース部２０ｂを設けることなく、別途磁石によって基部２０ａ上にメモ等を取り付けるようにすることも可能である。また、アーム部１４に弾性に優れた材料を用いた場合には、基部２０ａへの折り曲げ加工を省いてもよい。さらに、以上の実施の形態および変形例では吊り下げ具１１等をステンレスで製造する場合を示したが、例えば合成樹脂材によって一体に形成してもよい。
【００２７】
図４に本発明の他の実施の形態を示す。なお、この実施の形態において上述した実施の形態と同一の構成要素は図中に同一の符号を付して説明を省略する。この実施の形態において、壁面２には四隅に壁面固定部５が形成されたカレンダー３０が取り付けられる。
【００２８】
カレンダー３０はシート状のコルクにより形成され、図４（ａ）に示すように、中央部３０ａには暦が印刷され、周縁部３０ｂは補強のためにコルクシートが折り返される。壁面固定部５は、周縁部３０ｂをなすコルクシートの四隅部に形成される正面視矩形形状の開口部３１と、この開口部３１よりもひとまわり大きく、折り返されるコルクシートをポケット状に縫製して形成される収容部３２と、この収容部３２に収容されるステープル支持体３３とを有する。上記開口部３１は折り返されて二重になるコルクシートの表裏に貫通して形成され、また、収容部３２にはカレンダー３０表面側に形成されるスリット３４が連通される。一方、ステープル支持体３３は、開口部３１よりやや大きく、収容部３２よりやや小さい程度の矩形の合成樹脂材からなるシートであり、横長のステープル脚打込開口８が表裏に貫通して上下に並設され、該ステープル脚打込開口８に挟まれるようにしてステープル保持部４が形成される。
【００２９】
したがって、図４（ａ）において矢印で示すように、ステープル保持部４が横方向を向くようにスリット３４を介してステープル支持体３３を収容部３２内に挿入すると、開口部３１からは、上下に並ぶように一対のステープル脚打込開口８、８が露出するとともに、長手方向を横方向に向けてステープル保持部４が露出する。カレンダー３０の壁面２への固定は、開口部３１を介してステープル保持部４を跨ぐようにしてステープル３を壁面２に打ち込むことによりなされ、ステープラ脚６はステープル脚打込開口８を通って壁面２に突き刺さる。この状態で、ステープル支持体３３は、図４（ｂ）に示すようにステープル３によって壁面２に固定され、カレンダー３０はステープル支持体３３の周縁により収容部３２を介して鉛直方向に支持されて壁面２に取り付けられる。
【００３０】
また、カレンダー３０を剥がす際には、カレンダー３０四隅の壁面固定部５を順次引っ張るだけで適宜の合成を備えるステープル支持体３３がステープル３を壁面２から離す方向に引っ張るために、カレンダー３０と同時にステープル３を壁面２から容易に取り外すことができる。
【００３１】
なお、以上の実施の形態においては、ステープル保持部４を壁面２に横方向に、すなわちステープル保持部４の長手方向を真横に向ける場合を示したが、ステープル３を縦方向に打ち込み可能であれば、ステープル保持部４は斜めに設けてもよい。また、壁面２についても垂直方向に形成されるもの以外に、斜め上方を向く斜面であっても強固に支持することが可能である。さらに、上記ステープル３としては、軟鉄製のものを使用することが可能であるが、ステンレス製のものを使用した場合には錆を防止することができる上に、強度が高められることで耐荷重能力の向上や、例えば木材など石膏ボードよりも硬質の壁材に吊り下げ具１１等を取り付けることが可能になる。加えて、以上の実施の形態等においてはステープル３を壁面２に対して垂直に打ち込む場合を示したが、斜め下方に打ち込むことにより水平方向への引き抜き耐力を高めることも可能であり、また、壁面固定部５の裏面を壁面２に合わせた際に該壁面２に対して斜め下方に向くようにステープル脚打込開口８を形成すれば、下方のステープル脚６のみ、あるいは双方のステープル脚６、６を容易に斜め下方に打ち込むことができる。
【図面の簡単な説明】
【００３２】
【図１】本発明に係る吊り下げ具の壁面への固定状態を示す斜視図である。
【図２】吊り下げ具の壁面への固定状態を示す図で、（ａ）は全体断面図、（ｂ）は要部断面図である。
【図３】変形例を示す図で、（ａ）は吊り下げ具の正面図、（ｂ）は吊り下げ具の壁面への固定状態を示す要部を破断した側面図である。
【図４】他の実施の形態を示す図で、（ａ）はカレンダーの正面図、（ｂ）は要部断面図である。
【図５】応力図で（ａ）は片持ち梁のモーメント図、（ｂ）は３次不静定ラーメンのモーメント図である。
【符号の説明】
【００３３】
１  ステープル脚打込部
２  壁面
３  ステープル
４  ステープル保持部
５  壁面固定部
６  ステープル脚
７  フック部
８  ステープル脚打込開口
【図１】
2006181243.tif 000003
【図２】
2006181243.tif 000004
【図３】
2006181243.tif 000005
【図４】
2006181243.tif 000006
【図５】
2006181243.tif 000007